(57)【要約】【課題】携帯端末において、投影機能を筐体内に容易に組み込むことができ、画像を拡大して投影する。【解決手段】携帯電話１の筐体は、中央のヒンジ部分を中心にして折り畳み自在に構成された本体部２ｂと蓋体部２ｃとを有する。本体部２ｂ内には、小型液晶パネル７１、反射ミラー７２、及びプロジェクションレンズ７３が格納されている。蓋体部２ｃ内には、光導体７４、及びホログラムスクリーン７５が格納され、窓孔２２が設けられている。光導体７４は、画像表示光をホログラムスクリーン７５に導光する導光状態と、導光しない非導光状態に駆動切替自在である。本体部２ｂと蓋体部２ｃを折り畳んだとき、光導体７４は非導光状態となる。このとき、プロジェクションレンズ７３から出射される画像表示光は、光導体７４に入射しないで、筐体の本体部２ｂに設けられた窓孔２２を介して、光Ｌｐとして筐体２の外部に出射される。【選択図】図４
2009134147.tif 000002
【特許請求の範囲】
【請求項１】
筐体と、
各種画像を画面に表示する画像表示手段と、
装置各部を制御する制御手段とを備える携帯端末において、
前記画像表示手段によって表示された画像を拡大して投影するプロジェクション手段と、
前記プロジェクション手段によって投影された画像の画像表示光を導くための光導体と、
前記光導体により導かれた前記画像表示光に基づく画像を視認可能に表示する光学表示手段とをさらに備え、
前記筐体の内部には、前記画像表示手段、前記制御手段、前記プロジェクション手段、前記光導体、及び前記光学表示手段が格納され、
前記筐体には、該筐体の内部の光が該筐体の外部に出射されるための窓孔が設けられ、
前記光導体は、前記画像表示光を前記光学手段に導光する導光状態と、該画像表示光を該光学表示手段に導光しない非導光状態に駆動切替自在であり、
前記光導体が前記非導光状態のとき、前記画像表示光は前記窓孔を介して前記筐体の外部に出射されることを特徴とする携帯端末。
【請求項２】
前記光学表示手段は、ホログラムスクリーンであることを特徴とする請求項１に記載の携帯端末。
【請求項３】
前記ホログラムスクリーンは、背面を透視することができる透過型であることを特徴とする請求項２に記載の携帯端末。
【発明の詳細な説明】
【技術分野】
【０００１】
本発明は、携帯端末に関し、特に投影機能を有する携帯端末に関する。
【背景技術】
【０００２】
従来から、画像やメッセージ等を表示するための画像表示部を備えた携帯端末が知られている（例えば、特許文献１参照）。この種の携帯端末の画像表示部は、小さいものが多いため、ユーザによっては画像表示部に表示される画像が見え難いという不満がある。
【０００３】
これに対して、特許文献２には、画像表示部を覆うように投影レンズが設けられた携帯端末が開示されている。しかし、この種の携帯端末では、装置の外部に投影レンズを設ける必要があるため、装置を小型化することができないという問題がある。
【０００４】
また、特許文献３には、画像を投影するためのプロジェクタモジュールを備えた携帯端末が開示されている。しかし、この種の携帯端末では、端末の筐体内にプロジェクタモジュールを組み込むことが容易ではないという問題がある。
【特許文献１】特開２００１−３０８９９７号公報
【特許文献２】特開２００１−３１３７０２号公報
【特許文献３】特開２００６−１１５４８６号公報
【発明の開示】
【発明が解決しようとする課題】
【０００５】
本発明は、上述した問題点を解決するためになされたものであり、投影機能を筐体内に容易に組み込むことができ、画像を拡大して投影することができる携帯端末を提供することを目的とする。
【課題を解決するための手段】
【０００６】
上記目的を達成するために請求項１の発明は、筐体と、各種画像を画面に表示する画像表示手段と、装置各部を制御する制御手段とを備える携帯端末において、前記画像表示手段によって表示された画像を拡大して投影するプロジェクション手段と、前記プロジェクション手段によって投影された画像の画像表示光を導くための光導体と、前記光導体により導かれた前記画像表示光に基づく画像を視認可能に表示する光学表示手段とをさらに備え、前記筐体の内部には、前記画像表示手段、前記制御手段、前記プロジェクション手段、前記光導体、及び前記光学表示手段が格納され、前記筐体には、該筐体の内部の光が該筐体の外部に出射されるための窓孔が設けられ、前記光導体は、前記画像表示光を前記光学手段に導光する導光状態と、該画像表示光を該光学表示手段に導光しない非導光状態に駆動切替自在であり、前記光導体が前記非導光状態のとき、前記画像表示光は前記窓孔を介して前記筐体の外部に出射されることを特徴とする。
【０００７】
請求項２に記載の発明は、請求項１に記載の携帯端末において、前記光学表示手段は、ホログラムスクリーンであることを特徴とする。
【０００８】
請求項３に記載の発明は、請求項２に記載の携帯端末において、前記ホログラムスクリーンは、背面を透視することができる透過型であることを特徴とする。
【発明の効果】
【０００９】
請求項１の発明によれば、光導体が非導光状態のとき、画像表示光は窓孔を介して筐体の外部に出射される。そのため、画像を拡大して壁面等に投影することができるので、ユーザにとって画像が見やすい。また、特許文献２及び特許文献３と異なり、投影レンズやプロジェクタモジュールをさらに備える必要がないので、投影機能を筐体内に容易に組み込むことができる。
【００１０】
請求項２の発明によれば、光学表示手段は、ホログラムスクリーンであるため、ホログラムスクリーンによって画像が虚像として表示されるので、装置全体が嵩張ることなく、比較的扁平に近い構成とすることができ、携帯端末の筐体の内部に容易に組み込むことができる。
【００１１】
請求項３の発明によれば、ホログラムスクリーンは、背面を透視することができる透過型であるので、ユーザは端末の画像を視認可能な上に、ホログラムスクリーンの背面側を見ることができ、それだけ多くの情報を得ることができる。
【発明を実施するための最良の形態】
【００１２】
以下、本発明の一実施形態に係る携帯電話（携帯端末）について、図１及び図２を参照して説明する。図１は、携帯電話１の外観を示し、図２は、携帯電話１の内部構造を示すブロック図である。
【００１３】
携帯電話１は、筐体２と、音声等のデータの送受信を行うための通信部３と、通話による音声を出力するスピーカ４と、音声を入力するためのマイク５と、ユーザによって操作されるテンキー等を有する操作部６と、各種の画像等を表示するための表示部７と、装置各部を制御する制御用マイコン１０とを備える。
【００１４】
表示部７には、制御用マイコン１０によってメッセージや画像等が表示される。なお、表示部７の詳細については後述する。筐体２は、中央のヒンジ部分２ａを中心にして折り畳み自在に構成された本体部２ｂと蓋体部２ｃとを有する。
【００１５】
本体部２ｂ内には、マイク５、操作部６、及び表示部７の一部が格納されている。蓋体部２ｃ内には、通信部３、スピーカ４、操作部６、及び表示部７の一部が格納されている。また、蓋体部２ｃは、中央のヒンジ部分２ａを有する面に窓孔２２（図３参照）が設けられている。窓孔２２は、後述するプロジェクションレンズ７３（図３参照）から出射された光の直進方向に位置する。
【００１６】
次に、表示部７の構成の詳細について、図３を参照して説明する。図３は、本体部２ｂと蓋体部２ｃを開いた状態における、携帯電話１の概略側面を示す。表示部７は、各種画像を画面に表示する小型液晶パネル（画像表示手段）７１と、光を反射するための反射ミラー７２と、プロジェクションレンズ（プロジェクション手段）７３と、光導体７４と、ホログラムスクリーン７５とを備える。
【００１７】
筐体２の本体部２ｂ内には、小型液晶パネル７１、反射ミラー７２、及びプロジェクションレンズ７３が格納されている。筐体２の蓋体部２ｃ内には、光導体７４、及びホログラムスクリーン７５が格納されている。
【００１８】
小型液晶パネル７１には、図示しないドライバによって画像がフィールドシーケンシャル方式で表示されるもの（例えば、FLC:Ferroelectric Liquid Crystal、OCB:Optically Compensated Birefringence）が適しており、制御用マイコン１０によって指示される画像が動画として表示される。なお、小型液晶パネル７１に代えて、ポリゴンミラーを用いた光走査装置によって画像が生成される表示装置を用いてもよい。
【００１９】
反射ミラー７２は、小型液晶パネル７１により表示された画像の画像表示光を反射させ、反射された画像表示光をプロジェクションレンズ７３に入射させるものである。
【００２０】
プロジェクションレンズ７３は、小型液晶パネル７１によって表示された画像を拡大して光導体７４に投影する凸レンズである。なお、本実施形態に係る携帯電話１では、プロジェクションレンズ７３が、筐体２の本体部２ｂの端部において外方へ向けて光を出射する位置に設けられ、光導体７４が、筐体２の蓋体部２ｃ側に設けられている。そのため、本体部２ｂに対する蓋体部２ｃの開き角度が、図３に示される所定の角度であるときにのみ、プロジェクションレンズ７３から出射された画像表示光が光導体７４の端面に対して入射され、光導体７４に入射された光は略直角に交差してこの光導体７４内に進入する。
【００２１】
また、本体部２ｂと蓋体部２ｃを折り畳んだ状態とするとき、プロジェクションレンズ７３から出射された画像表示光は窓孔２２を介して筐体２の外部に出射される。本体部２ｂと蓋体部２ｃを折り畳んだ状態とするときの画像表示光の導光については後述する。
【００２２】
光導体７４は、アクリル等の透明樹脂により成型されたものであり、プロジェクションレンズ７３から入射した画像表示光を、外周面で全反射しつつ前方へ伝達し、光の入射面の反対側の端面からホログラムスクリーン７５へ向けて所定の角度で出射する。また、光導体７４は、ユーザが蓋体部２ｃを回動させることによって、プロジェクションレンズ７３から入射した画像表示光をホログラムスクリーン７５に導光する導光状態と、画像表示光をホログラムスクリーン７５に導光しない非導光状態に駆動切替自在である。なお、光導体７４が非導光状態であるとき、つまり、前述したように蓋体部２ｃと本体部２ｂが所定の角度でないとき、プロジェクションレンズ７３から入射した画像表示光をホログラムスクリーン７５へ向けて出射することができない。
【００２３】
ホログラムスクリーン７５は、光透過性を有し、観察域が限定されるリップマンホログラムとして作成される。具体的には、ホログラムスクリーン７５は、光導体７４から所定の角度で出射される画像表示光を受けて、図３に示されるように、領域Ｚ内に居る操作者Ａの視線Ｓの先に対してのみ視認可能なように虚像Ｂを生成する。光導体７４からホログラムスクリーン７５に対して出射される光の角度は、ホログラムスクリーン７５の作成過程における参照光の照射角度と同一に設定されている。
【００２４】
また、ホログラムスクリーン７５は、光導体７４から出射される画像表示光のうち、Ｒ（赤色）Ｇ（緑色）Ｂ（青色）の各波長域についてそれぞれ特定の狭い波長域の光のみを反射することによって虚像Ｂを生成し、背面から進入する光ＬＢは波長域に拘わらず透過する。従って、操作者Ａは、領域Ｚ内からホログラムスクリーン７５を覗き込むことによって、携帯電話１の後方に実在するシーンを背景として見ながら虚像Ｂを視認することができる。例えば、操作者Ａは、携帯電話１の背後にあるテレビやパソコンの画面をホログラムスクリーン７５を通して見ながら虚像Ｂを視認することができるので、それだけより多くの情報を得ることができる。
【００２５】
次に、本体部２ｂと蓋体部２ｃを折り畳んだ状態のときの画像表示光について、図４を参照して説明する。図４は、本体部２ｂと蓋体部２ｃを折り畳んだ状態における、携帯電話１の概略側面を示す。図４に示すように、本体部２ｂと蓋体部２ｃを折り畳んだとき、光導体７４は上述した非導光状態となる。このとき、窓孔２２は、プロジェクションレンズ７３から出射された画像表示光の進行方向に位置するため、プロジェクションレンズ７３から出射される画像表示光は、光導体７４に入射しないで、筐体２の本体部２ｂに設けられた窓孔２２を介して、光Ｌｐとして筐体２の外部に出射される。
【００２６】
上述したように、本実施形態に係る携帯電話１によれば、本体部２ｂと蓋体部２ｃを折り畳んだ状態、つまり、光導体７４が非導光状態のとき、画像表示光が窓孔２２を介して筐体２の外部に出射される。そのため、小型液晶パネル７１に表示された画像を拡大して壁面等に投影することができるので、ユーザにとって画像が見やすい。また、特許文献２及び特許文献３と異なり、投影レンズやプロジェクタモジュールをさらに備える必要がないので、プロジェクションレンズ７３等の投影機能を筐体２内に容易に組み込むことができる。
【００２７】
また、携帯電話１は、ホログラムスクリーン７５によって画像が虚像として表示されるので、装置全体が嵩張ることなく、比較的扁平に近い構成とすることができ、携帯電話１の筐体２の内部にホログラムスクリーン７５等を容易に組み込むことができる。また、ホログラムスクリーン７５は、背面を透視することができる透過型であるので、ユーザは携帯電話１の画像を視認可能な上に、ホログラムスクリーン７５の背面側を見ることができ、それだけ多くの情報を得ることができる。
【００２８】
なお、本発明は、上記実施形態の構成に限られず、発明の趣旨を変更しない範囲で種々の変形が可能である。例えば、上記実施形態では、ホログラムスクリーン７５が透過型である例を示したが、これに限られず、ホログラムスクリーンの背面に液晶シャッタを付設することによって、光透過性を有する状態と有しない状態とに切替え自在であるホログラムスクリーンであってもよい。
【図面の簡単な説明】
【００２９】
【図１】本発明の一実施形態に係る携帯電話の外観を示す斜視図。
【図２】上記携帯電話の概略内部構成を示すブロック図。
【図３】上記携帯電話の開いた状態の概略側面図。
【図４】上記携帯電話の折り畳んだ状態の概略側面図。
【符号の説明】
【００３０】
１  携帯電話（携帯端末）
２  筐体
２２  窓孔
７１  小型液晶パネル（画像表示手段）
７３  プロジェクションレンズ（プロジェクション手段）
７４  光導体
７５  ホログラムスクリーン
２ｂ  本体部
２ｃ  蓋体部
【図１】
2009134147.tif 000003
【図２】
2009134147.tif 000004
【図３】
2009134147.tif 000005
【図４】
2009134147.tif 000006